(57)【要約】【課題】  本発明は、試料室の小型化とレーザ干渉計による高精度な位置検出の両立を目的とする荷電粒子線装置およびステージ装置の提供を目的とする。【解決手段】  上記目的を達成するため、本発明では試料を搭載するための試料ステージと、当該試料ステージの位置を検出する第１の位置検出装置を備えたステージ装置であって、前記第１の位置検出装置が検出可能なステージ移動範囲の一部に、前記試料ステージが位置するときに、前記試料ステージの位置を検出する第２の位置検出装置と、当該第２の位置検出装置によって得られる位置検出結果に基づいて、前記第１の位置検出装置のオフセット量を調整する制御装置を備えたステージ装置、およびそれを用いた荷電粒子線装置を提案する。【選択図】  図１
2015162396.tif 000002
【特許請求の範囲】
【請求項１】
試料を搭載するための試料ステージと、当該試料ステージの位置を検出する第１の位置検出装置を備えたステージ装置において、
前記第１の位置検出装置が検出可能なステージ移動範囲の一部に、前記試料ステージが位置するときに、前記試料ステージの位置を検出する第２の位置検出装置と、当該第２の位置検出装置によって得られる位置検出結果に基づいて、前記第１の位置検出装置のオフセット量を調整する制御装置を備えたことを特徴とするステージ装置。
【請求項２】
請求項１において、
前記第２の位置検出装置は、前記試料ステージが配置されるベースと前記試料ステージの距離の絶対量を計測する絶対位置検出装置であることを特徴とするステージ装置。
【請求項３】
請求項２において、
前記絶対位置検出装置は、前記試料ステージ上に配置されることを特徴とするステージ装置。
【請求項４】
請求項２において、
前記第１の位置検出装置は、前記試料ステージに設置される反射ミラーと、当該反射ミラーにレーザ光を照射することによって前記試料ステージの位置を検出するレーザ干渉計を含むことを特徴とするステージ装置。
【請求項５】
請求項１において、
前記試料ステージは、前記第１の位置検出装置が検出可能なステージ移動範囲外に、移動可能に構成されていることを特徴とするステージ装置。
【請求項６】
請求項５において、
前記制御装置は、前記第１の位置検出装置が検出可能なステージ移動範囲外に、前記試料ステージが移動した後に、前記オフセット量を調整することを特徴とするステージ装置。
【請求項７】
請求項１において、
前記ステージ装置を備えたことを特徴とする荷電粒子線装置。
【請求項８】
ベースと、当該ベースに対して移動可能な試料ステージと、当該試料ステージに設けられる反射ミラーと、当該反射ミラーにレーザ光を照射することによって前記試料ステージの位置を測定するためのレーザ干渉計と、前記試料ステージの位置を制御する制御装置とを備えたステージ装置において、
前記ベースと前記試料ステージの距離の絶対量を計測する絶対位置検出装置と、前記レーザ干渉計及び前記絶対位置検出装置とは異なる第３の位置検出装置を備え、
前記制御装置は、前記レーザ干渉計および前記絶対位置検出装置が検出可能な位置に前記試料ステージを位置決めするとともに、前記絶対位置検出装置によって計測される位置情報を用いて、前記レーザ干渉計のオフセット量を変更することを特徴とするステージ装置。
【請求項９】
請求項８において、
前記試料ステージは、前記反射ミラーに前記レーザ光が照射されない位置まで移動可能に構成され、前記制御装置は、当該反射ミラーに前記レーザ光が照射されない位置に前記試料ステージが位置している場合に、前記第３の位置検出装置を用いて前記試料ステージの位置を制御することを特徴とするステージ装置。
【請求項１０】
請求項９において、
前記第３の位置検出装置は、前記試料ステージの全ての可動範囲において位置検出可能であるように構成されることを特徴とするステージ装置。
【請求項１１】
請求項８において、
前記絶対位置検出装置の測定方向は、前記レーザ光の光軸と概ね一致するように配置されることを特徴とするステージ装置。
【請求項１２】
請求項１１において、
前記絶対位置検出装置は、前記試料ステージ上の前記反射ミラーとは異なる面に配置されることを特徴とするステージ装置。
【請求項１３】
請求項８において、
前記制御装置は、前記試料ステージの移動時に前記オフセット量の変更を行うか否かを判断することを特徴とするステージ装置。
【請求項１４】
請求項１３において、
前記制御装置は、前記試料ステージの移動前の座標が前記レーザ干渉計の測定範囲外であり、移動後の目標座標が前記レーザ干渉計の測定範囲内でありかつ移動後に荷電粒子線の照射を行う場合に前記オフセット量の変更を行うことを特徴とするステージ装置。
【請求項１５】
請求項１３において、
前記制御装置は、前記オフセット量の変更を実施してからの経過時間を記憶し、前記試料ステージが前記レーザ干渉計の測定範囲内において、前記経過時間が閾値を超えた場合に前記オフセット量の変更を行うことを特徴とするステージ装置。
【請求項１６】
請求項１３において、
前記制御装置は、前記試料ステージの温度を計測する温度計を備え、
前記試料ステージが前記レーザ干渉計の測定範囲内において、前記試料ステージの温度が閾値を超えた場合に前記オフセット量の変更を行うことを特徴とするステージ装置。
【請求項１７】
請求項８において、
前記絶対位置検出装置は、絶対値出力型リニアスケールを用いることを特徴とするステージ装置。
【請求項１８】
請求項８において、
前記絶対位置検出装置は、静電容量変位計を用いることを特徴とするステージ装置。
【請求項１９】
請求項８において、
前記絶対位置検出装置は、光学顕微鏡によって得られる画像情報を用いることを特徴とするステージ装置。
【請求項２０】
請求項８において、
前記絶対位置検出装置は、荷電粒子線を用いて得られる画像情報を用いることを特徴とするステージ装置。
【請求項２１】
請求項８において、
前記ステージ装置を備えたことを特徴とする荷電粒子線装置。
【請求項２２】
ベースと、当該ベースに対して移動可能な試料ステージと、当該試料ステージに設けられる反射ミラーと、当該反射ミラーにレーザ光を照射することによって前記試料ステージの位置を測定するためのレーザ干渉計と、前記試料ステージの位置を制御する制御装置とを備えたステージ装置において、
前記試料ステージの位置を特定するための前記レーザ干渉計とは異なる第二の位置検出手段と、前記ベースと前記試料ステージの距離の絶対量を拘束する絶対位置拘束手段とを備え、前記制御装置は、前記レーザ干渉計および前記絶対位置拘束装置によって前記試料ステージが拘束されるように試料ステージを制御するとともに、前記絶対位置拘束装置によって前記試料ステージが拘束されている状態での前記レーザ干渉計の位置情報を用いて、前記レーザ干渉計のオフセット量を変更することを特徴とするステージ装置。
【請求項２３】
請求項２２において、
前記試料ステージは、押し当て部材を備え、前記ベースは、被押し当て部材を備え、前記絶対位置拘束装置は、前記押し当て部材を前記被押し当て部材に押し当てることによって拘束を行うことを特徴とするステージ装置。
【請求項２４】
請求項２２において、
前記ステージ装置を備えたことを特徴とする荷電粒子線装置。
【発明の詳細な説明】
【技術分野】
【０００１】
本発明は、ステージ装置、及び荷電粒子線装置に係り、特に反射ミラーにビームを照射することにより、ステージ位置を特定するステージ装置、及び当該ステージ装置を備えた荷電粒子線装置に関する。
【背景技術】
【０００２】
半導体素子の微細化に伴い、製造装置のみならず、検査や評価装置にもそれに対応した高精度化が要求されている。通常、半導体ウェハ上に形成したパターンを評価したり、形成されたウェハの欠陥を検査するために、走査型電子顕微鏡（以下、ＳＥＭと称す）が用いられており、特にパターンの形状寸法を評価するためには測長ＳＥＭが用いられる。
【０００３】
測長ＳＥＭは、ウェハ上に電子線を照射し、得られた二次電子信号を画像処理し、その明暗の変化からパターンのエッジを判別して寸法等を導き出す装置である。測長ＳＥＭには、ウェハ全域を観察、検査するために、ウェハ上の所望の個所をビームの照射位置に位置決めすることが可能なＸＹステージが設けられている。このＸＹステージは、例えば回転モータとボールねじによって駆動される方法やリニアモータを用いて駆動する方法がある。また、ＸＹ平面のみでなく、Ｚ軸やＺ軸まわりの回転運動などを行うステージが用いられる場合もある。
【０００４】
このＸＹステージは、ウェハの位置決めを正確に行うため、高精度にステージ位置の検出を行うことが必要であり、これにはレーザ干渉計と反射ミラーを用いる方法が知られている。
【０００５】
レーザ干渉計は、反射ミラーに対してレーザ光を照射し、反射波との干渉によって数十ピコメートオーダの分解能でステージ位置を検出するこができる。また、ウェハと同じ高さにおいて計測を行うことができるため、アッベ誤差が最小となり，測長ＳＥＭをはじめ多くの精密ステージの位置計測に広く利用されている。
【０００６】
測長ＳＥＭにおいては、ウェハの大口径化やウェハ検査手段の多様化に対応して、ＸＹステージのストロークは増大することが要求されている。また、ＳＥＭ以外のウェハ検査手段（例えば光学式顕微鏡など）を用いてウェハを観察する場合には、ＸＹステージのストロークはさらに増大させる必要がある。
【０００７】
ＸＹステージのストロークが増大した場合、ストローク全域においてレーザ光を反射させるためにストロークとともに反射ミラーの長尺化が必要となる。この場合、反射ミラー面の平面度の確保が困難となるとともに、長尺化による振動の増大が計測精度劣化の要因となる。さらには、長尺化した反射ミラーの可動領域を確保するため試料室自体を大型化する必要があり、製造・運搬コストの増大や、設置面積の拡大の原因となる。
【０００８】
特許文献１には、ミラーの大きさを最小必要限度に抑え、レーザによる位置決め範囲以外ではミラーを利用しない測長方式（例えばリニアスケール）によるステージ位置決めシステムに切り替える技術が開示されている。
【先行技術文献】
【特許文献】
【０００９】
【特許文献１】特許第２５５６３６１号公報
【発明の概要】
【発明が解決しようとする課題】
【００１０】
特許文献１に開示された技術を測長ＳＥＭ等の荷電粒子線装置に適用した場合、レーザ干渉計とリニアスケールを切り替えることにより反射ミラーを短くすることができるが、リニアスケールとレーザ干渉計が少なくとも高さ方向に関して異なる位置に取り付けられるため、アッベ誤差が生じる。すなわち、試料ステージの姿勢角（ピッチング、ローリング）によってレーザ干渉計とリニアスケール値の対応が一意に決まらず、結果として切替後の位置決め精度を十分に確保できない可能性がある。
【００１１】
以下に、試料ステージがレーザ干渉計等の位置検出装置による位置検出可能領域から外れたとしても、試料ステージが当該位置検出可能領域に戻ってきたときに、高精度に位置検出装置による位置検出を可能とすることを目的とする試料ステージ、およびそれを用いた荷電粒子線装置を提案する。
【課題を解決するための手段】
【００１２】
上記目的を達成するための一態様として、以下に試料を搭載するための試料ステージと、当該試料ステージの位置を検出する第１の位置検出装置を備えたステージ装置であって、前記第１の位置検出装置が検出可能なステージ移動範囲の一部に、前記試料ステージが位置するときに、前記試料ステージの位置を検出する第２の位置検出装置と、当該第２の位置検出装置によって得られる位置検出結果に基づいて、前記第１の位置検出装置のオフセット量を調整する制御装置を備えたステージ装置、およびそれを用いた荷電粒子線装置を提案する。
【発明の効果】
【００１３】
上記構成によれば、試料ステージがレーザ干渉計等の位置検出装置による位置検出可能領域から外れたとしても、試料ステージが当該位置検出可能領域に戻ってきたときに、高精度に位置検出装置による位置検出が可能となるため、ミラーの小型化と、高精度な位置検出の両立が可能となる。
【図面の簡単な説明】
【００１４】
【図１】荷電粒子線装置の構成断面図（実施例１）。
【図２】荷電粒子線装置（レーザ可視状態）の構成図上面図（実施例１）。
【図３】荷電粒子線装置（レーザ不可視状態）の構成図上面図（実施例１）。
【図４】荷電粒子線装置（切替状態）の構成図上面図（実施例１）。
【図５】荷電粒子線装置の検査処理を示すフローチャート（実施例１）。
【図６】荷電粒子線装置のレーザ値のリセット処理を示すフローチャート（実施例１）。
【図７】荷電粒子線装置の荷電粒子線装置の構成上面図（実施例２）。
【図８】荷電粒子線装置の荷電粒子線装置の構成側面図（実施例２）。
【図９】荷電粒子線装置（切替状態）の構成図上面図（実施例３）。
【発明を実施するための形態】
【００１５】
以下に説明する実施例は、主としてレーザ干渉計とリニアスケールを切替えて高精度なステージ位置の計測可能とするステージ装置、及び荷電粒子線装置に関するものである。
【００１６】
以下に説明する実施例では、主に、ベースと、当該ベースに対して移動可能な試料ステージと、当該試料ステージに設けられる反射ミラーと、当該反射ミラーにレーザ光を照射することによって前記試料ステージの位置を測定するためのレーザ干渉計と、前記試料ステージの位置を制御する制御装置とを備えたステージ装置、及び当該ステージを備えた荷電粒子線装置であって、前記ベースと前記試料ステージの距離の絶対量を計測する絶対位置検出装置と、前記レーザ干渉計及び前記絶対位置検出装置とは異なる第３の位置検出装置を備え、前記制御装置は、前記レーザ干渉計および前記絶対位置検出装置が検出可能な位置に前記試料ステージを位置決めするとともに、前記絶対位置検出装置によって計測される位置情報を用いて、前記レーザ干渉計のオフセット量を変更することを特徴とするステージ装置および荷電粒子線装置を提案する。
【００１７】
上記のような構成によれば、レーザ干渉計とリニアスケールを併用するステージ装置において、両者を高精度に切替え可能で，高精度なステージ位置の計測可能とするステージ装置を実現できる。
【００１８】
以下に説明する実施例は、測長ＳＥＭのような荷電粒子線装置およびそれに適用可能な高精度ステージ装置に関するものである。以下、実施例を、図面を用いて説明する。
【実施例１】
【００１９】
図１は、本実施例における荷電粒子線装置の構成断面図である。図１において、試料室１内に固定されたベース７上には、２つのＹリニアガイド１４ｙ、１５ｙを介してＹ方向（紙面奥行き方向）に自由に移動できるＹテーブル５が配置されるとともに、Ｙリニアモータ１６ｙがベース７とＹテーブル５間にＹ方向に相対的に推力を発生させるように配置される。Ｙテーブル上には、２つのＸリニアガイド１４ｘ、１５ｘ（図示せず）を介してＸ方向に自由に移動できるＸテーブル４が配置されるとともに、Ｘリニアモータ１６ｘ（図示せず）がＹテーブル５とＸテーブル４間にＸ方向に推力を発生させるように配置される。これにより、Ｘテーブル４は、ベース７および試料室１に対してＸＹ方向に自由に移動することが可能となる。
【００２０】
Ｘテーブル４上にはウェハ２が配置される。なお、ウェハ２の配置には機械的拘束力または静電気力等の保持力を備えたウェハ保持機構が用いる。試料室１上には、天板８およびカラム３が配置される。カラム３には、電子線によって二次電子像を生成するための電子光学系が備えられている。また、天板８には、ウェハ２を低倍率で観察するための光学顕微鏡９が配置される。
【００２１】
ベース７にはＹリニアスケール１２ｙがＹ方向に配置され、それと対向するようにＹリニアスケール検出器１３ｙがＹテーブル５に配置される。このＹリニアスケール（１２ｙ、１３ｙ）（Ｙ方向の第３の位置検出装置）は、Ｙテーブル５とベース７のＹ方向の相対変位量（以下、Ｙスケール値と呼ぶ）を計測する。同様に、Ｙテーブル５には、Ｘリニアスケール１２ｘが配置され、それと対向するようにＸリニアスケール検出器１３ｘがＸテーブル４に配置される。このＸリニアスケール（１２ｘ、１３ｘ）（Ｘ方向の第３の位置検出装置）は、Ｘテーブル４とＹテーブル５のＸ方向の相対変位量（以下、Ｘスケール値と呼ぶ）を計測する。以上の構成により、Ｘテーブル４とベース７とのＸＹ方向それぞれの相対変位量を計測することが可能となる。
【００２２】
Ｘテーブル４上にはＸミラー１１ｘが配置され、試料室１の側面には、Ｘレーザ干渉計１０ｘが配置される（Ｘ方向の第１の位置検出装置）。Ｘレーザ干渉計１０ｘは、Ｘミラー１１ｘに対してレーザ光を照射し、その反射光を用いて試料室１とＸテーブル４のＸ方向の相対変位量（以下、Ｘレーザ値と呼ぶ）を計測する。ここで、Ｘミラー１１ｘは、ＹＺ平面に鏡面を持ち、Ｙ方向に長い棒状の形状をしており、Ｙテーブル５がＹ方向に移動した際にもレーザ光を反射することができる。また、レーザ光はウェハ２の上面（測定面）とＺ方向の高さが概ね一致するように配置される。Ｙ方向についても同様に、Ｙレーザ干渉計１０ｙ（Ｙ方向の第１の位置検出装置、図示せず）およびＹミラー１１ｙ（図示せず）によって試料室１とＸテーブル４のＹ方向の相対変位量（以下、Ｙレーザ値と呼ぶ）を計測することができる。
【００２３】
ここで、Ｘレーザ値およびＸスケール値は、ともに試料室１に対するＸテーブル４のＸ方向の相対変位量を示しているが、アッベ誤差によって両者は正確には一致しない。すなわち、Ｘレーザ値とＸスケール値の測定位置はＺ方向にオフセットを持っているため、テーブルの移動や振動によってＸテーブル４の姿勢角が変化する際にアッベ誤差を生じる。同様に、Ｙレーザ値およびＹスケール値についてもアッベ誤差が生じる。
【００２４】
制御装置６には、演算処理部、モータ駆動用アンプ等が含まれている。制御装置６は、ＸＹ方向のレーザ値およびスケール値を入力として、リニアモータの駆動電流を制御することによってステージをＸＹ方向に駆動し、所望の位置に位置決めを行う。ここで、リニアモータの制御方法は、ＰＩＤ制御等を用いることが可能である。
【００２５】
以上の構成により、ウェハ２を試料室１に対してＸＹ平面で移動し、カラム３によって二次電子像を生成することができる。
【００２６】
Ｘテーブル４上には、Ｘ絶対スケール１７ｘが配置され、試料室１には、Ｘ絶対スケール検出器１８ｘが配置される（Ｘ方向の第２の位置検出装置）。ここで、Ｘ絶対スケール１７ｘは、ウェハ２の測定面およびＸレーザ干渉計１０ｘのレーザ光とＺ方向高さが概ね一致するように配置される。Ｙ方向に関しても同様にＹ絶対スケール１７ｙおよびＹ絶対スケール検出器１８ｙ（Ｙ方向の第２の位置検出装置、ともに図示せず）が配置される。絶対スケールの詳細な配置および使用方法は後述する。なお、本実施例では絶対スケール検出器（１８ｘ、１８ｙ）は試料室２に配置したが、ベース、天板、カラム等に配置することも可能である。
【００２７】
なお、本実施例では、案内機構としてリニアガイドを用いたがその他の案内機構（例えば、流体軸受けや磁性軸受けなど）を用いることも可能である。また、駆動機構としてリニアモータを用いたが例えば、ボールねじや圧電アクチュエータ等，真空中で使用可能なアクチュエータを用いることも可能である。
【００２８】
図２は、本実施例における荷電粒子線装置の上面構成図で，レーザ可視状態となるテーブル位置配置である。
【００２９】
レーザ干渉計１０ｘおよび１０ｙのレーザ光は、ミラー１１ｘおよび１１ｙに照射されており、ウェハ２のＸＹ座標はスケール値およびレーザ値で共に計測可能である。
【００３０】
図中の位置Ｐ１は、レーザ干渉計１０ｘおよび１０ｙから照射されるレーザ光の交点であり、カラム３の中心（二次電子画像を取得するための電子線が照射される位置）がＰ１と一致するようにカラム３が配置される。これにより、ウェハのＺ軸まわりの姿勢変化（ヨーイング）に対するアッベ誤差無く測定点（電子線照射位置）の位置情報をレーザ値によって計測できる。ウェハ２の全面をカラム３によって観察するために必要なＸＹ方向それぞれのテーブルのストロークは図中Ｒｘ１、Ｒｙ１の範囲である。
【００３１】
位置Ｐ２は、光学顕微鏡９による観察可能な位置である。通常、カラム３内の電子光学系の大きさの制約により、Ｐ２はＰ１と同位置に配置することは困難であり、オフセットを持った位置となる。ウェハ２の全面を光学顕微鏡９によって観察するために必要なＸＹ方向それぞれのテーブルのストロークは図中Ｒｘ２、Ｒｙ２の範囲である。なお、本実施例ではＳＥＭ以外の検出手段として光学顕微鏡を用いるが、ウェハの観察やセンシングのためのその他の検出手段やセンサを用いる場合においても本構成は有効である。
【００３２】
ここで、ＳＥＭ観察時にはウェハ２の位置情報を正確に（アッベ誤差なく）検出することが必要であるため、レーザ値を用いてステージの位置決めを行うことは必須である。一方、光学顕微鏡９はＳＥＭと比較して低倍率であるため、高精度なレーザ値を用いずにスケール値を用いてステージを位置決めしても十分な画像精度を保証できる。すなわち、例えばＸ方向に関しては、Ｒｘ１の範囲はＸレーザ値を用い、Ｒｘ２のＲｘ１以外の範囲はＸスケール値を用いる構成がよい。以上より、本実施例では、Ｒｘ１の範囲をカバーするようにＹミラー１１ｙの長さを決め、Ｒｙ１の範囲をカバーするようにＸミラー１１ｘの長さが決定するようにすることで、必要最小限のミラー長となる。
【００３３】
図２では、レーザ値およびスケール値を共に得られるため、制御装置６では、両者を用いてリニアモータ（１６ｘ、１６ｙ）の駆動電流を決定することが望ましい。また、絶対スケール（１７ｘ、１７ｙ）と絶対スケール検出器（１８ｘ、１８ｙ）は離れた位置にいるため位置検出を行うことはできない状態である。
【００３４】
図３は、本実施例における荷電粒子線装置の上面構成図であり，レーザ不可視状態となるテーブル位置配置である。レーザ干渉計１０ｘおよび１０ｙのレーザ光は、ミラー１１ｘおよび１１ｙに照射されていないため、ウェハ２のＸＹ座標はスケール値のみで計測可能である。そのため、制御装置６では、スケール値のみを用いてリニアモータ（１６ｘ、１６ｙ）の駆動電流を制御する。また、絶対スケール（１７ｘ、１７ｙ）と絶対スケール検出器（１８ｘ、１８ｙ）は離れた位置にいるため位置検出を行うことはできない状態である。
【００３５】
図４は、本実施例における荷電粒子線装置の上面構成図であり，切替状態となるテーブル位置配置である。レーザ干渉計１０ｘおよび１０ｙのレーザ光は、ミラー１１ｘおよび１１ｙに照射されており、ウェハ２のＸＹ座標はスケール値およびレーザ値で共に計測可能である。さらに、Ｘ絶対スケール１７ｘとＸ絶対スケール検出器１８ｘおよびＹ絶対スケール１７ｙとＹ絶対スケール検出器１８ｙはそれぞれ対向しており、試料室１に対するＸテーブル４のＸＹ方向の物理的位置（以下、絶対スケール値）を正確に計測することができる。
【００３６】
また、レーザ光および絶対スケールの測定方向が一致するように配置され，その直線上にウェハ２の測定点が来るように配置する。そのため，図中に示したように絶対スケールはＸテーブル上の反射ミラー１１の反対側に配置されることが望ましい。このように配置することにより，レーザ値と絶対スケールの位置情報およびウェハ２の測定点の間にアッベ誤差を生じず，正確な位置計測が可能となる。一方、レーザ干渉計は相対的な変位量を計測するため、基準位置を決めることで物理的な距離を求めることができるものの、レーザ干渉計単体でそれを実現することはできない。また、リニアスケール（１２、１３）は絶対スケールを用いたとしても、アッベ誤差の影響によって生じる誤差を除去することができない。
【００３７】
以上のように、図４に示したステージ位置（以下、切替位置と呼ぶ）において、絶対スケール値を用いてレーザ値の基準位置を正確に設定（オフセット調整）できれば、それ以後レーザ光の有効範囲内において高精度な位置計測をすることができる。
【００３８】
図５は、本実施例における荷電粒子線装置の検査処理を示すフローチャートである。処理Ｓ５０１でステージをウェハ交換位置に移動させる。なお、本実施例ではウェハ交換位置を示していないが、レーザ光の可視・不可視に関わらずステージの可動範囲内において任意に設定できる。
【００３９】
処理Ｓ５０２では、搬送用ロボット等を用いてウェハを試料室内のＸテーブル上のウェハ支持部に配置すると共に保持機構によって保持する。処理Ｓ５０３では、光学顕微鏡での可視範囲に移動する。ここで、ステージ制御はスケール値のみを用いて行う。
【００４０】
処理Ｓ５０４では、光学顕微鏡を用いたアライメント処理を行う。ここで、アライメント処理では、ステージ移動と光学顕微鏡での撮像を複数回行い、得られた画像からウェハの搭載位置や角度の補正を行う。処理Ｓ５０５では、後述するレーザ値のリセット処理を行い、スケール値のみを用いた制御からレーザ値を用いた制御に切り替える。
【００４１】
処理Ｓ５０６では、予め登録されたウェハ上の測定点へステージを移動させる。  処理Ｓ５０７では、ＳＥＭ画像を取得し、測長処理を行う。ここでは、測定点の位置を正確に検出するアドレッシング処理やフォーカス合わせ処理、高倍率画像取得処理などをＳＥＭ画像を用いて行う。
【００４２】
処理Ｓ５０８では、予め登録された測定点を全点検査したかどうかを判断する。  処理Ｓ５０９では、ステージをウェハ交換位置に移動させる。処理Ｓ５１０では、保持機構を解除するとともに、搬送用ロボット等を用いてウェハを試料室から搬出する。処理Ｓ５１１では、オフセット調整が必要か否かを判別する。ここで、オフセット調整の要否の判断には、経過時間を用いて一定時間が経過した場合に必要と判断する方法や、前回オフセット調整時から温度計を用いて温度変化を計測して閾値を超えた場合に必要と判断する方法が有効である。処理Ｓ５１２では、処理Ｓ５０５と同様にレーザ値のリセット処理を行い，オフセット量を調整する。
【００４３】
図６は、本実施例におけるレーザ値のリセット処理を示すフローチャートである。なお、説明のため数式はＸ方向のみを示すが、Ｙ方向についても全く同様に計算することができる。
【００４４】
処理Ｓ６０１では、ステージを所定の切替位置へ移動する。この時、制御装置６はスケール値のみを用いて制御を行う。処理Ｓ６０２では、Ｘ方向のレーザ値Ｌｘ、スケール値Ｓｘ、絶対スケール値Ａｘを取得し、積算値ＳＬｘ、ＳＳｘ、ＳＡｘに加算する。
【００４５】
処理Ｓ６０３では、予めきめられた規定回数Ｎが終了したかを判別する。処理Ｓ６０４では、まず、数１、数２、及び数３によってＮ回の平均レーザ値ＡＬｘ、スケール値ＡＳｘ、絶対スケール値ＡＡｘを算出する。ここで平均回数Ｎを大きくすることによりノイズ成分を除去し、ナノメートルオーダの精度で計測することが可能であるが、大きくしすぎると計測時に時間を要することになるため、概ね数十ミリ秒〜１秒程度が望ましい。
【００４６】
ＡＬｘ＝ＳＬｘ／Ｎ    （数１）
ＡＳｘ＝ＳＳｘ／Ｎ    （数２）
ＡＡｘ＝ＳＡｘ／Ｎ    （数３）
次に、レーザ値およびスケール値のオフセット量を数４及び数５によって算出する。
【００４７】
ＯｆｓＬｘ＝ＡＬｘ−ＡＡｘ＋Ｐｘ    （数４）
ＯｆｓＳｘ＝ＡＳｘ−ＡＡｘ＋Ｐｘ    （数５）
ここで、ＯｆｓＬｘはＸレーザ値のオフセット量、ＯｆｓＳｘはＸスケール値のオフセット量、Ｐｘは切替位置の座標であり、切替位置のＸ座標がＰｘとなるようにオフセット量が算出される。
【００４８】
処理Ｓ６０５では、得られたオフセット量を用いて、レーザ値を用いた位置制御への切替えを行う。数４及び数５で算出されたオフセット量を用いて、制御に用いる位置情報ＰｏｓＬｘ，ＰｏｓＬｙは数６、及び数７で算出される。
【００４９】
ＰｏｓＬｘ＝Ｌｘ−ＯｆｓＬｘ    （数６）
ＰｏｓＳｘ＝Ｓｘ−ＯｆｓＳｘ    （数７）
なお、図６で示した切替手順は、図５で示した検査処理中のみならず、任意のタイミングで実行することが可能である。例えば、ＳＥＭ画像と光学顕微鏡画像を見比べながらパターン観察を行うような場合には、ＳＥＭ画像取得前に切替処理を行うことができる。
【００５０】
以上のように構成したステージ装置および荷電粒子線装置によれば、レーザ干渉計とリニアスケールを併用することによりミラーや試料室の大きさを最小限に抑えることができると同時に、レーザ値とスケール値を高精度に切替えて使用することができる。さらに、熱膨張等によって生じるウェハの位置決め誤差を抑制することができる。
【００５１】
なお、本実施例では、試料室とＸテーブルの物理的位置関係を決定するために絶対スケールを用いたが、同様に物理位置を計測できるセンサ、例えば静電容量やレーザ、超音波、磁気等を用いるセンサを用いることも可能である。また、新たなセンサを用いず、ＳＥＭ像もしくは光学顕微鏡画像を用いて物理位置関係を決定する方法も有効である。また、これらのセンサ、手段を複数併用することによりさらなる精度向上が期待できる。
【００５２】
以上、本実施例によれば、レーザ干渉計による位置検出装置が検出可能なステージ移動範囲の一部に、試料ステージが位置するときに、試料ステージの位置を検出することが可能な絶対位置検出器による位置検出を行うことによって、レーザ干渉計の位置検出精度を補償しているため、レーザ干渉計による位置検出範囲外にステージが位置することになっても、高い位置検出精度を維持することが可能となる。この結果、レーザ干渉計に要する反射ミラーの長さを短くしつつ、高精度な位置決めを行うことが可能となる。
【実施例２】
【００５３】
図７は、本実施例における荷電粒子線装置の構成上面図、図８は、本実施例における荷電粒子線装置の構成側面図である。図７および図８において、図１〜４と同じ番号で示される部材については、同様の構成・機能を有するため説明を省略する。
【００５４】
図７および図８では、Ｘ絶対スケール１７ｘはＸテーブル４上でＸミラー１１ｘ側の端に配置され、Ｘ絶対スケール検出器１８ｘはＸレーザ干渉計１０ｘの近傍に配置されている。同様にＹレーザ干渉計１０ｙとＹ絶対スケール１７ｙは、Ｙミラー１１ｙ側に配置され、Ｙ絶対スケール検出器１８ｙはＹレーザ干渉計１０ｙの近傍に配置されている。このように配置した場合、レーザ光と絶対スケールのＺ方向高さにわずかに差が生じるため、わずかにアッベ誤差を生じる。しかしながら、スケール値と比較すると非常に小さなアッベ誤差に抑えられるため、本実施構成においてもレーザ値とスケール値を高精度に切替える効果が期待できる。
【実施例３】
【００５５】
図９は、本実施例における荷電粒子線装置の上面構成図であり，切替状態となるテーブル位置配置である。図９において、図２と同じ番号で示される部材については、同様の構成・機能を有するため説明を省略する。
【００５６】
図９では、Ｘテーブル４上のＸ方向端面付近にＸ押し当て部材３０１ｘを備え、それに対向する位置に試料室１の内壁にＸ被押し当て部材３０２ｘが配置されている。同様に、Ｘテーブル４上にＹ押し当て部材３０１ｙ、試料室１にＹ被押し当て部材３０２ｙが配置されている。
【００５７】
スケール値とレーザ値のオフセット調整を行う場合、リニアモータ（１６ｘ、１６ｙ）によって押し当て部材３０１を被押し当て部材３０２に押し当て、一定の推力を発生させた状態で、レーザ値のオフセット量を算出する。
【００５８】
これにより、新たなセンサを用いることなく、試料室１とＸテーブル４の物理的位置関係を拘束することにより高精度なオフセット量の調整を行うことが可能である。
【００５９】
なお、押し当て部材３０１および被押し当て部材３０２は、弾性の高い部材（例えばバネ状の金属やゴムや樹脂材料）を用いることも有効である。
【００６０】
また、図９に置いては、押し当て部材および被押し当て部材はＸＹ方向にそれぞれ１個ずつ配置したが、複数配置する方法や面接触として連続部材で押し当てる方法も可能である。さらに、押し当て部材３０１を用いず、例えばＸステージの側面を押し当てる方法も可能である。
【符号の説明】
【００６１】
１  試料室
２  ウェハ
３  カラム
４  Ｘテーブル
５  Ｙテーブル
６  制御装置
７  ベース
８  天板
９  光学顕微鏡
１０  レーザ干渉計
１１  ミラー
１２  リニアスケール
１３  リニアスケール検出器
１４、１５  リニアガイド
１６  リニアモータ
１７  絶対スケール
１８  絶対スケール検出器
【図１】
2015162396.tif 000003
【図２】
2015162396.tif 000004
【図３】
2015162396.tif 000005
【図４】
2015162396.tif 000006
【図５】
2015162396.tif 000007
【図６】
2015162396.tif 000008
【図７】
2015162396.tif 000009
【図８】
2015162396.tif 000010
【図９】
2015162396.tif 000011